(57)【特許請求の範囲】
【請求項１】
情報ブロックの記録を企図した情報トラックの位置を示すサーボ・トラックを備えている円板形の記録キャリアであって、前記円板形の記録キャリアは、透明な基板、記録レイヤ及び保護レイヤを有し、前記記録レイヤは光学的に書き込み可能であり、前記サーボ・トラックは、記録キャリア情報を符号化するよう変調された、物理的パラメータの変形を所定の周波数で備え、前記サーボ・トラックは、
所定の周波数での前記変形だけを含んでいる、変調されていない部分と、
前記変形の周波数及び/又は位相が、前記変調されていない部分の周波数及び/又は位相から偏移する、変調された部分とを備え、
前記変形の勾配が前記変調された部分と前記変調されていない部分との間のトランジションで、実質的に連続しており、
前記変形が実質的に正弦波の変形であり、及び前記トランジションが前記正弦波の変形の最小値及び/又は最大値に位置することを特徴とする記録キャリア。
【請求項２】
請求項１記載の記録キャリアであって、前記変調された部分の最初の部分が、偏移周波数における前記変形を備え、前記最初の部分の長さが前記所定の周波数の一周期に相当し、かつ、前記偏移周波数の１．５周期に対応することを特徴とする記録キャリア。
【請求項３】
請求項２記載の記録キャリアであって、前記変調された部分の最後の部分が、偏移周波数における変形を含み、前記最後の部分の長さは、前記所定の周波数の一周期に対応し、前記変調された部分の最初の部分及び前記最後の部分が、前記変調されていない部分における変形の位相と逆の位相を有する所定の周波数での変形を含む中間部分で離間している記録キャリア。
【請求項４】
請求項１記載の記録キャリアであって、前記サーボ・トラックは、変調されていない長い部分、及び変調された短い部分を含む記録キャリア。
【請求項５】
情報トラックの位置を示すサーボ・トラックを含む、請求項１記載の円板形の記録キャリアにおける前記情報トラックの、情報ブロックを記録し、及び/又は読み取る手段を備えている記録及び/又はプレイバックの機器であって、当該機器は、前記サーボ・トラックを走査する手段、及び、前記サーボ・トラックの物理的パラメータの変形によって発生させた信号から、記録キャリア情報を回復する復調手段、を備え、前記サーボ・トラックは、
所定の周波数での前記変形だけを含んでいる、変調されていない部分と、
前記変形の周波数及び/又は位相が、前記変調されていない部分の周波数及び/又は位相から偏移する、変調された部分とを備え、
前記復調手段が、前記変形の勾配が実質的に連続している、前記変調された部分と前記変調されていない部分との間のトランジションから開始している、前記変調された部分を検波する検波手段を備え、
前記変形が、実質的に正弦波の変形であり、前記トランジションが前記正弦波の変形の最小値及び/又は最大値に位置し、前記検波手段が、前記最小値及び/又は最大値で開始して、検波することを特徴とする機器。
【請求項６】
請求項５記載の機器であって、前記検波手段は、偏移周波数での前記変形を含む最初の部分を有する変調された部分を検波するよう構成され、前記最初の部分の長さが前記所定周波数の一周期に対応し、前記偏移周波数の1.5周期に対応することを特徴とする機器。
【請求項７】
請求項６記載の機器であって、前記検波手段は、前記トランジション周波数での変形を含む最後の部分を有する変調された部分を検波するよう構成され、前記最後の部分の長さが前記所定の周波数の一周期に対応し、前記最初の部分及び前記最後の部分が、前記変調されていない部分における変形の位相と逆の位相を有する所定の周波数での変形を含む中間部分で離間していることを特徴とする機器。
【請求項８】
請求項５記載の機器であって、前記検波手段が、前記変調された部分によって生成される前記信号の周波数スペクトルに基づいた整合フィルタを備えることを特徴とする機器。
【発明の詳細な説明】
【技術分野】
【０００１】
本発明は、情報ブロックの記録を企図した情報トラック、を表示するサーボ・トラックを備えている記録キャリア、に関するものであって、サーボ・トラックは、記録キャリア情報を符号化するよう変調された、物理的パラメータの変形を所定の周波数に備え、サーボ・トラックは、前記変形の周波数及び/又は位相が所定の周波数から偏移する、変調された部分、及び前記の周期的変形だけを含んでいる変調されていない部分を備えるものである。
【０００２】
本発明はさらに、前記情報トラックを表示しているサーボ・トラックを備える記録キャリア上の情報トラックの情報ブロックを記録し、及び/又は読み取る手段を備えている記録及び/又はプレイバックの機器に関するものであって、当該機器は、前記サーボ・トラックを走査する手段、及び所定の周波数における、前記サーボ・トラックの物理的パラメータの変形から記録キャリア情報を回復する復調手段を備え、前記サーボ・トラックは、前記変形の周波数及び/又は位相が前記の所定の周波数から偏移する、変調された部分、及び前記周期的変形だけを含んでいる変調されていない部分を備えるものである。
【０００３】
本発明はさらに、前記記録キャリアを製造する方法に関するものである。
【背景技術】
【０００４】
従来の技術には、記録キャリア、及び、情報を読み取る及び/又は記録する機器に関するものがある（例えば、特許文献１参照。）。当該文献によれば、前記情報はアドレス・コードを含む情報信号に符号化され、及びアドレス・コードによって情報ブロックに細区分される。前記記録キャリアは、サーボ・トラックを備え、これは一般にプリグルーブ（あらかじめ、溝があるもの）と呼ばれ、前記トラックを走査する際にサーボ信号を発生させる。前記プリグルーブの物理的パラメータ、例えば半径方向の位置、は周期的に変動し、いわゆるウォブルを発生させている。当該ウォブルは、前記トラックの走査中に、前記サーボ信号の変形を引き起こし、及びウォブル信号を発生させ得る。前記ウォブルは位置情報を符号化するよう、位相変調を用いて変調される。一般に、ディジタル位置情報を符号化するのに用いる、前記位相変調はディジタル位相変調（PSK）と呼ばれる。記録中に、前記位置情報は前記ウォブル信号から回復され、前記情報ブロックにおける前記アドレス・コードと前記位置情報との間の所定の関係を保つことによって前記情報ブロックの位置を定めるよう利用される。
【０００５】
また、位置情報が設けられた、再記録可能なコンパクト・ディスク（ＣＤ）システムに関するものもある（例えば、特許文献２参照。）。
【先行技術文献】
【特許文献】
【０００６】
【特許文献１】国際公開第00/43996号パンフレット
【特許文献２】米国特許第4901300号明細書
【発明の概要】
【発明が解決しようとする課題】
【０００７】
前記の公知の１つのシステムの問題点は、前記ウォブル信号が、前記の（トラッキング・）サーボ・システムによって使用される周波数範囲内となる低周波成分を含むことにある。それゆえに、前記サーボ・システムは前記ウォブル信号の変調によって妨害される。さらに、前記の変調されたウォブル信号は、前記情報信号の周波数範囲内となる高周波成分を含み、その結果、前記の回復された情報信号から前記情報を正確に検波するのを妨げることがある。
【課題を解決するための手段】
【０００８】
本発明の目的は、例えば、前記ウォブル信号による前記の妨害を弱める、記録キャリア及び機器を提供することである。
【０００９】
本発明によれば、前記の記録キャリアは、前記の変調された部分と変調されていない部分との間のトランジション（遷移）部分での前記変形の勾配が実質的に連続していることを特徴とする。さらに、前記の記録及び/又はプレイバックの機器は、前記復調手段が、前記変形の勾配が実質的に連続している、前記の変調された部分と変調されていない部分との間のトランジションで開始して、変調された部分を検波する検波手段を備えることを特徴とする。本発明は、以下に説明された認識によるものである。多くの光学式記録書式は、とりわけ、記録クロック発生のために、一般にウォブルと呼ばれる、前記サーボ・トラックの周期的変形、を備え、前記ウォブルは通常、主に変化がなく、記録クロック・ジッタを減少させる。変調された部分では、周波数が変更され、又は位相ジャンプが用いられ、及び、前記ウォブルの振幅がゼロの時に、変調されていない部分と変調された部分との間のトランジションが現れる。本発明者は、当該のトランジションでのウォブルの勾配の切れ目が原因でさらに加わった、低周波及び高周波成分が、結果として発生されるウォブル信号によってもたらされることがわかった。振幅がゼロではないが、トランジション前の前記の変調されていない信号及びトランジション後の前記の変調された信号、の勾配が実質的に等しい前記ウォブル中の一部分、に前記トランジションをずらすことによって、前記の妨害周波数成分は薄められる。
【００１０】
前記記録キャリアの他の実施態様は、前記変形が実質的に正弦波であり、及びトランジションが前記正弦波の最小値及び/又は最高値に位置することを特徴とするものである。この利点は、正弦波のピーク値、すなわち最小値及び最大値で前記信号の勾配がゼロであることにある。それゆえに、信号の勾配が連続している状態で、周波数の変動を適用し得る。
【００１１】
本発明による、前記方法、機器及び記録キャリアの、望ましい実施態様は、別のクレームに記載する。
【図面の簡単な説明】
【００１２】
【図１ａ】サーボ・トラックを備えた、記録キャリアを例示する平面図である。
【図１ｂ】サーボ・トラックを例示する断面図である。
【図１ｃ】サーボ・トラックの一つのウォブルを例示する詳細図である。
【図１ｄ】サーボ・トラックの他のウォブルを例示する詳細図である。
【図２ａ】ＭＳＫ−ｓｉｎの変調を例示する図である。
【図２ｂ】ＭＳＫ−ｃｏｓの変調を例示する図である。
【図３】ＭＳＫ−ｓｉｎ及びＭＳＫ−ｃｏｓ信号を例示する図である。
【図４】１データ・ビットの電力スペクトル密度を例示する図である。
【図５】情報ブロックを読み取るデバイスを例示する図である。
【図６】情報ブロックを記録するデバイスを例示する図である。
【図７ａ】一つのビット・パターンの電力スペクトル密度を例示する図である。
【図７ｂ】他のビット・パターンの電力スペクトル密度を例示する図である。
【発明を実施するための形態】
【００１３】
本発明はウォブルの変調を用いて説明されているが、例えばトラック幅のような、トラックの、他のふさわしいどんなパラメータも、変調されることがある。さらに記録キャリアについては光ディスクが説明されているが、磁気ディスク又はテープのような、他の媒体も用いることがある。本明細書及び特許請求の範囲の原文では、「comprising」の語は、記載された構成要素と手段は列挙されているもの以外の他の要素又はステップの存在を排除せず、及び構成要素のすぐ前にある「a」又は「an」の語は当該構成要素が複数存在することを排除せず、どんな参照記号も本特許請求の範囲を限定せず、本発明はハードウェアとソフトウェアの両方によって実装されることがあり、及びいくつかの「means」は同一のハードウェア品目によって形成されることがあるものである。さらに、本発明の範囲は本明細書及び本特許請求の範囲に記載の実施態様に限定されず、及び本発明は、上記にて説明された新規性を持った、特徴又は特徴の組み合わせ、全てに見出されるものである。
【００１４】
本発明は、図面を参照し、以下に説明するものである。
【実施例】
【００１５】
図1ａは記録するために用いられることが予定されているトラック９が設けられた円板形の記録キャリア１、及び中心穴１０を示すものである。前記トラック９は巻き線３のらせん状のパターンに配置される。図１ｂは記録キャリアのｂ−ｂ線で切断した断面であり、透明な基板５が記録レイヤ６及び保護レイヤ７とともに設けられる。前記記録レイヤ６は、例えば相変化によって、光学的に記録可能である、又は、周知の再読み取り可能なＣＤ若しくは再記録可能なＣＤのような、情報記録機器によって、磁気光学的に記録可能である。前記記録レイヤは又、生産工程を通じて情報が設けられることがあり、その場合、最初に親ディスクが製造され、後に、プレスによって増加される。前記情報は情報ブロックに編成され、及び、例えば、ＣＤにおける異なった長さのピットの連続、のような、多量の放射と少量の放射を反映している区域が連続する形態の、光学的に読み取り可能なマークによって表される。一実施態様では、再記録可能型の前記記録キャリアの前記トラック９は前記の、記録されていない、記録キャリアの製造中に設けられるサーボパターンによって示される。前記サーボパターンは、例えば走査中に記録ヘッドが前記トラック９をたどることを可能にするプリグルーブ４によって、形成される。当該プリグルーブ４は、より深く、若しくは高くした部分、又は、周囲から逸脱している特定の物質特性、で実装されることがある。あるいは、前記サーボパターンは、巻き線毎にランドからグルーブへのトランジション、又はその逆が起こっていることを伴う、ランド及びグルーブ・パターンと呼ばれる、巻き線の高くした部分とより深い部分が交互に並ぶ交替列が備えられることがある。図1ｃ及びｄはウォブルと呼ばれる、前記プリグルーブの物理的パラメータの周期的変形の２つの例を示すものである。図1ｃは水平方向の位置の変形を表すものであって、及び図1ｄは幅方向の変形を表すものである。前記ウォブルはトラッキング・サーボセンサにてウォブル信号を発生させる。前記ウォブルは、例えば、周波数変調されて、アドレス、タイム・コード、又は巻き線情報のような位置情報が、その変調に符号化される。サーボパターンはさらに、例えば、周期的にトラッキング信号を発生させる、規則正しく分布されたサブパターン、を備えることもある。
【００１６】
前記サーボ・トラックの前記変形は、いわゆる、変調されていない部分と呼ばれる、変化のないウォブルの比較的大きな部分を備える。さらに、前記サーボ・トラックは、変調された部分と呼ばれる、前記ウォブルの周波数及び/又は位相が、所定のウォブル周波数から偏移する、比較的短い部分を備える。
【００１７】
図２ａはＭＳＫ−ｓｉｎの変調を例示するものである。当該図は前記ウォブルの変調された部分の変形を示すものである。最小位相推移変調（MSK）の正弦波タイプ（ＭＳＫ−ｓｉｎ）ではデータ値０は、前記ウォブルがゼロ交差から開始する、ウォブルの全周期２１又は反転された周期２２によって表される。データ値１は１．５倍高い周波数で表され、その結果ウォブル２３は正から開始していて、又ウォブル２４は負から開始している。それゆえ、ＭＳＫ変調は１．０×ウォブル周波数（ｆｗｏｂ）の周波数の正弦波及び１．５×ｆｗｏｂの周波数の正弦波に準拠する。ＭＳＫ−ｓｉｎでは、周波数は前記ウォブル信号のゼロ交差で変動する。周波数が変動する部分では、勾配はとぎれている。
【００１８】
図２ｂはＭＳＫ−ｃｏｓ変調を例示するものである。当該図は前記ウォブルの変調された部分の変形を示すものである。MSKの余弦波タイプ（ＭＳＫ−ｃｏｓ）では、データ値０は、前記ウォブルの振幅の最大値又は最小値から開始する、ウォブルの全周期２５又は反転された周期２６、によって表される。データ値１は１．５倍高い周波数によって表され、その結果、ウォブル２７は正の値から開始していて、又ウォブル２８は負の値から開始していて、その上、最大値又は最小値から開始している。それゆえ、ＭＳＫ変調は、１．０×ｆｗｏｂの周波数の正弦波及び１．５×ｆｗｏｂの周波数の正弦波、に準拠している。ＭＳＫ−ｃｏｓでは、周波数は前記ウォブル信号の最大値又は最小値で変動する。周波数が変動する部分では勾配は連続している。ＭＳＫ−ｃｏｓの全ての波形は、１ウォブルの長さの周波数周期で積分すると、直流（ＤＣ）成分を含まないが、ＭＳＫ−ｓｉｎの１．５×ｆｗｏｂの波形はＤＣ成分を含むことを特筆する。前記ＤＣ成分はＭＳＫ−ｓｉｎの１．５×ｆｗｏｂの反転波形によって差し引きし得るが、ＭＳＫ−ｃｏｓ変調で前記のようなＤＣ成分を含まないことは、サーボ・システムに関連する低周波数範囲で、より少ない妨害周波数成分が含まれるということに帰結する。
【００１９】
図３はＭＳＫ−ｓｉｎ及びＭＳＫ−ｃｏｓ信号を表すものである。当該図はＭＳＫ−ｓｉｎ（３２）とＭＳＫ−ｃｏｓ（３５）の変調された波形を単一データ・ビットについて例示したものである。真ん中の線（３２，３５）はＭＳＫ−ｓｉｎ（左）及びＭＳＫ−ｃｏｓ（右）のディスク上の波形を(実線で)表すものである。参考までに、単一トーンの正弦波又は余弦波信号も（点線で）表す。両方の例は３ウォブル周期の長さのデータ・ビットについてのものである。当該データ・ビットの、最初及び最後の部分は、図２ａと２ｂを参照して、上記にて説明されている。前記３周期の真ん中の周期には、反転されたウォブルがある。上の線（３１，３４）は、ＭＳＫ−ｓｉｎ（左）およびＭＳＫ−ｃｏｓ（右）波形と、変調されていない参照ウォブルとの間の違いを表すものである。下の線（３３，３６）は波形（３２，３５）と前記参照ウォブルとを掛け合わせた結果を表すものである。
【００２０】
図４は１データ・ビットの電力スペクトル密度を表すものである。点線４１はＭＳＫ−ｓｉｎのスペクトルであって、実線４２はＭＳＫ−ｃｏｓのスペクトルである。ＭＳＫ−ｃｏｓのスペクトル４２はＭＳＫ−ｓｉｎのスペクトル４１よりも狭い。すなわち、ＭＳＫ−ｃｏｓはより少ない妨害周波数成分を生じさせていて、ＭＳＫ−ｓｉｎよりも、検波器によって、より狭い範囲で濾波し得る。ＭＳＫ−ｃｏｓの検波性能は、濾波後に結果として生ずる信号対雑音比次第では、ＭＳＫ−ｓｉｎのものよりもよりすぐれたものになるであろう。
【００２１】
図５は記録キャリア１を走査する読み取り機器を表すものである。光ディスクの情報の記録と読み取り、及び、フォーマット化、誤り訂正とチャネル符号化の規則は、例えば前記ＣＤシステムから、周知であるものである。図５の装置は、前記記録キャリア１を読み取るよう形成され、当該記録キャリアは図１にて表された記録キャリアと同一のものである。前記機器は、記録キャリアにおけるトラックを走査する読み取りヘッド５２、及び、記録キャリア１を回転させる駆動装置５５、例えばチャネル復号器と誤り訂正器とを備えている、読み取り回路５３、トラッキング装置５１、並びにシステム制御装置５６、を備えている読み取り制御手段が設けられたものである。前記読み取りヘッドは、光学素子によって誘導された放射ビーム６５によって、前記記録キャリアの前記記録レイヤのトラックに集束された放射スポット６６を発生させる通常タイプの光学素子を備えたものである。放射ビーム６５は、例えばレーザ・ダイオードのような、放射源によって発生されるものである。前記読み取りヘッドはさらに前記記録レイヤに、放射ビーム６５を集束させるフォーカシング・アクチュエータ、及びスポット６６をトラックの中心で半径方向に細かく位置を定めるトラッキング・アクチュエータ５９、を備えている。前記装置は、トラック上で半径方向に読み取りヘッド５２を粗く位置を定める位置決め装置５４を備える。トラッキング・アクチュエータ５９は、光学素子を半径方向に移動させるコイルを備えることがあり、又は、前記読み取りヘッドの可動部分、若しくは、固定位置に前記光システムの一部が実装される場合には固定位置の一部分にある、反射素子の角度を変化させるよう形成されることがあるものである。前記記録レイヤによって反射された放射は、読み取り信号、トラッキング・エラー及びフォーカシング・エラー信号を含めた、検出信号５７、を発生させるための、例えば四分円ダイオードのような、通常タイプの検出器によって検出される。トラッキング装置５１は、前記読み取りヘッドからの前記トラッキング・エラー信号を受信し、トラッキング・アクチュエータ５９を制御するために、前記読み取りヘッドに結合されるものである。読み取り中に、読み取り信号は、矢印６４にて示されたように、読み取り回路５３にて出力情報に変換される。前記装置には、前記記録キャリアの前記サーボ・トラックを走査する際に検出器信号５７からアドレス情報を検出および回復する、アドレス検出器５０が設けられている。前記機器には、さらに、制御しているコンピュータ・システム又は利用者から命令を受信し、制御ライン５８経由で、例えば、駆動装置５５、位置決め装置５４、アドレス検出器５０、トラッキング装置５１並びに読み取り回路５３に接続されたシステム・バス経由で、前記装置を制御するシステム制御装置５６が設けられる。当該の目的のために、前記システム制御装置は、下記に説明された手順を実行するよう、例えばマイクロプロセッサ、プログラム記憶装置及び制御ゲートのような、制御回路を備える。システム制御装置５６は又、論理回路のステート・マシンとしても実装されることがある。前記読み取り機器は、例えば連続したウォブルのような、周期的変形を含んでいるトラックを備えているディスクを読み取るよう形成される。前記読み取り制御機器は、前記の周期的変形を検出し、それに応じて、前記トラックから所定量のデータを読み取るよう形成される。一実施態様によれば、読み取りクロックは前記周期的変形に同期化され、及び読み取り回路５３は前記周期的変形のそれぞれの発生毎に、固定数のチャネル・ビットを読み取る。一実施態様によれば、前記読み取り制御手段は記録されていない区域の後に来る前記トラックの区域からデータを回復するよう形成される。読み取り回路５３では、読み取りクロックは記録されていない区域での前記の周期的変形に同期化され、及び読み取りスピードは前記の記録されていない区域を走査している間に調節される。それゆえ、記録された区域の最初の部分では、読み取り回路５３は前記の記録されたデータのスピードに固定される。特に、アドレス検出器５０は、前記の変調されたウォブルから得られた、前記の変調された信号から、例えば位置情報や記録制御データのような、記録キャリア情報を読み取るよう形成される。アドレス検出器５０には前記ウォブルの勾配が連続している、前記ウォブル信号の所定のトランジション部分、から始めて、変調されたウォブルを検波する検波装置がある。最大値（又は最小値部分）にトランジションを備えている正弦波のウォブルについては、検波を開始する部分は前記の最大値（又は最小値）である。望ましい実施態様は、アドレス検出器５０が、前記ウォブル信号の周波数スペクトルに準拠した整合フィルタを備えるものである。当該整合フィルタは、前記ウォブル信号のほうが、ゼロ交差でトランジションを備えているウォブル信号よりも周波数スペクトルが狭いので、前記の変調されたウォブル信号の信号対雑音比を向上させる。前記アドレス検出器はさらに、記録キャリア情報のワードを回復する、ワード検出装置を備える。当該ワードの最初の部分は、前記の変調されていないウォブルの長いシーケンス、の後に来る同期化信号から検出される。データ・ビットの発生及び値は前記の変調されたウォブルに準拠して検出される。他の実施態様では、他の種類の、前記記録キャリアの前記の値の同期化又は復号化が適用されてもよい。
【００２２】
図６は、例えば電磁放射のビーム６５によって磁気光学式又は光学式方法にて（相変化、又は色素によって）(再)記録可能のタイプの、本発明による、記録キャリア上に情報を記録する機器を表すものである。前記機器は、さらに、読み取りし得るよう装備され、及び、図５を参照して上記にて説明された、前記読み取り装置と同一の構成要素、を含むものである。但し、記録/読み取りヘッド６２を有する点、及び、例えばフォーマッタ(書式設定器)と誤り符号器とチャネル符号器とを備えた記録回路６０を除いて、前記読み取り制御手段と同一の構成要素を含む記録制御手段を有する点は異なる。記録/読み取りヘッド６２は、読み取りヘッド５２と同一の機能を、記録機能と共に備え、及び、記録回路６０に連結されるものである。（矢印６３によって示された）記録回路６０の入力に提示された情報は、フォーマット化及び符号化規則によって、論理セクタと物理セクタに分布され、及び記録/読み取りヘッド６２の記録信号６１に変換される。システム制御ユニット５６は、記録回路６０を制御し、及び、前記読み取り装置について上記に説明した、前記位置情報の回復並びに位置決め手順を実行するよう形成されるものである。前記の記録動作中には、情報を表しているマークが前記記録キャリアに形成される。前記記録制御手段は、例えば、位相ロック・ループを前記の周期性にロックすることによって、前記の周期的変形を検出するよう形成される。アドレス検出器５０は図５を参照して上記に説明されたものである。
【００２３】
図７ａと図７ｂはＭＳＫ−ｓｉｎ及びＭＳＫ−ｃｏｓの電力スペクトル密度（ＰＳＤ）を、周期的に繰り返された２つの異なったビット・パターンについて、表すものである。図７ａは、あるビット・パターンについて、ＭＳＫ−ｓｉｎのＰＳＤ７１、及び、ＭＳＫ−ｃｏｓのＰＳＤ７２、を表すものである。図７ｂは他のビット・パターンについて、ＭＳＫ−ｓｉｎのＰＳＤ７３、及び、ＭＳＫ−ｃｏｓのＰＳＤ７４、を表すものである。これらは、スペクトルの中心部においてＭＳＫ−ｓｉｎ及びＭＳＫ−ｃｏｓのＰＳＤが実質的に、同様であるということがわかる。しかしながら、０．１×ｆｗｏｂ周辺の低周波数ではＭＳＫ−ｃｏｓのＰＳＤはＭＳＫ−ｓｉｎのＰＳＤよりも１０ｄＢ以上低い。これは、（例えば、１．５×ｆｗｏｂの周波数で）前記ＭＳＫ−ｃｏｓ信号の一つのｆｗｏｂ周期セグメントにＤＣ成分がないことと関係があり、そのようなＭＳＫ−ｓｉｎの一つの周期セグメントは、次の（反転した）ＭＳＫ−ｓｉｎセグメントにおける信号で後に補償される、ＤＣ成分を含む。ＭＳＫ−ｃｏｓの低周波スペクトルは、したがって、ＭＳＫ−ｓｉｎの低周波スペクトルよりもかなり低く、それは、前記サーボの、より低いひずみを理由として、１つの利点となるものである。さらに、ＭＳＫ−ｃｏｓのよりなめらかな波形は、周波数が変動する部分で勾配がとぎれたＭＳＫ―ｓｉｎと比較して、切れずに続いた勾配によってもたらされる。さらに２×ｆｗｏｂを超える高周波範囲では、ＭＳＫ−ｃｏｓのＰＳＤはＭＳＫ−ｓｉｎのＰＳＤよりもやや低い。それゆえ、高周波範囲にも、より少ない妨害周波数成分が存在する。
【符号の説明】
【００２４】
１  記録キャリア
４  サーボ・トラック
９  情報トラック
２５  ウォブル
２６  ウォブル
２７  ウォブル
２８  ウォブル
５０  検波手段
【図１ａ】
0004649528.tif 000002
【図１ｂ】
0004649528.tif 000003
【図１ｃ】
0004649528.tif 000004
【図１ｄ】
0004649528.tif 000005
【図２ａ】
0004649528.tif 000006
【図２ｂ】
0004649528.tif 000007
【図３】
0004649528.tif 000008
【図４】
0004649528.tif 000009
【図５】
0004649528.tif 000010
【図６】
0004649528.tif 000011
【図７ａ】
0004649528.tif 000012
【図７ｂ】
0004649528.tif 000013